【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
組織部位に減圧を分配するドレッシングにおいて、
積層される複数の液体不透過性層であって、窓が形成されている複数の液体不透過性層と、
隣接する液体不透過性層の間に少なくとも部分的に配置されて、隣接する液体不透過性層の少なくとも一部の変位を提供する複数のスペーサと、
前記複数のスペーサおよび前記複数の液体不透過性層によって形成された、減圧下での流体の流れを可能にする複数の流路と、
を具備し、
前記複数の液体不透過性層の隣接する層が、同一の広がりを有する面の少なくとも大部分の表面積の大部分の間に発泡体がないように積層されることを特徴とするドレッシング。
【請求項２】
請求項１に記載のドレッシングにおいて、前記複数のスペーサが複数の接合部を含み、各接合部が接合箇所において前記複数の液体不透過性層のうちの少なくとも２つを結合することを特徴とするドレッシング。
【請求項３】
請求項１に記載のドレッシングにおいて、前記複数のスペーサが前記複数の液体不透過性層のうちの少なくとも１つの拡大部分を含むことを特徴とするドレッシング。
【請求項４】
請求項１に記載のドレッシングにおいて、前記複数のスペーサが、前記複数の液体不透過性層のうちの少なくとも１つに形成された複数の折目を含むことを特徴とするドレッシング。
【請求項５】
請求項１に記載のドレッシングにおいて、前記複数のスペーサが、前記複数の液体不透過性層のうちの少なくとも１つに形成された複数の折目を含み、前記複数の折目が、前記液体不透過性層の少なくとも一部を接合し、当該ドレッシングを折り曲げてマイクロチャネルを形成することによって形成されることを特徴とするドレッシング。
【請求項６】
請求項１に記載のドレッシングにおいて、前記複数のスペーサが、前記複数の液体不透過性層のうちの少なくとも１つに形成された複数の折目を含み、前記複数の折目が、前記複数の折目のうちの少なくともいくつかをもたらす湾曲面に当該ドレッシングを配置することによって形成されることを特徴とするドレッシング。
【請求項７】
請求項１に記載のドレッシングにおいて、前記複数のスペーサが、複数の接合箇所に形成された複数の接合部を含み、各接合部が、前記複数の接合箇所のうちの接合箇所において前記複数の液体不透過性層のうちの少なくとも２つを結合し、前記複数の接合箇所が接合箇所の間隔が空けられたパターンを形成することを特徴とするドレッシング。
【請求項８】
請求項１に記載のドレッシングにおいて、前記複数のスペーサが、半径を有する少なくとも１つの湾曲部を形成するように当該ドレッシングを折り畳むことによって形成された複数の折目を含み、前記湾曲部がマイクロチャネルを形成することを特徴とするドレッシング。
【請求項９】
請求項１に記載のドレッシングにおいて、前記複数のスペーサが複数の接合部を含み、各接合部が、複数の接合箇所のうちの接合箇所において前記複数の液体不透過性層のうちの少なくとも２つを結合し、前記複数の接合部が、アスペクト比が３を超える接合部を含むことを特徴とするドレッシング。
【請求項１０】
請求項１に記載のドレッシングにおいて、前記複数のスペーサが複数の接合部を含み、各接合部が、前記複数の接合箇所のうちの接合箇所において前記複数の液体不透過性層のうちの少なくとも２つを結合し、前記複数の接合部が、アスペクト比が６を超える接合部を含むことを特徴とするドレッシング。
【請求項１１】
請求項１〜１０のいずれか一項に記載のドレッシングにおいて、フローチャネルを形成するように第１長手方向接合部と前記第１長手方向接合部から間隔が空けられた第２長手方向接合部とをさらに具備することを特徴とするドレッシング。
【請求項１２】
請求項１〜１１のいずれか一項に記載のドレッシングにおいて、液体送達チャネルをさらに具備し、前記液体送達チャネルが、
窓のない、前記複数の液体不透過性層のうちの１つの第１部分と、
窓のない、前記複数の液体不透過性層のうちの別のものの第２部分と、
周縁を除いて前記第１部分と前記第２部分とを結合して液体送達流路を画定するチャネル形成接合部と、
前記液体不透過性層の前記第１部分に形成された、液体を受け取る液体開口部と、
を備えることを特徴とするドレッシング。
【請求項１３】
組織部位に減圧を分配するシステムであって、
減圧源と、
減圧ドレッシングと、
を具備し、
前記減圧源が前記減圧ドレッシングに流体結合され、
前記減圧ドレッシングが、
積層される複数の液体不透過性層であって、窓が形成されている複数の液体不透過性層と、
隣接する液体不透過性層の間に少なくとも部分的に配置されて、隣接する液体不透過性層の少なくとも一部の変位を提供する複数のスペーサと、
前記複数のスペーサおよび前記複数の液体不透過性層によって形成された、減圧下での流体の流れを可能にする複数の流路と、
を備え、
前記複数の液体不透過性層の隣接する層が、同一の広がりを有する面の少なくとも大部分の表面積の大部分の間に発泡体がないように積層されることを特徴とする減圧を分配するシステム。
【請求項１４】
請求項１３に記載の減圧を分配するシステムであって、前記複数のスペーサが複数の接合箇所において複数の接合部を含み、各接合部が、前記複数の接合箇所のうちの接合箇所において前記複数の液体不透過性層のうちの少なくとも２つを結合することを特徴とする減圧を分配するシステム。
【請求項１５】
請求項１３に記載の減圧を分配するシステムであって、前記複数のスペーサが、前記複数の液体不透過性層のうちの少なくとも１つの拡大部分を含むことを特徴とする減圧を分配するシステム。
【請求項１６】
請求項１３に記載の減圧を分配するシステムであって、前記複数のスペーサが前記複数の液体不透過性層のうちの少なくとも１つの拡大部分を含むことを特徴とする減圧を分配するシステム。
【請求項１７】
請求項１３に記載の減圧を分配するシステムであって、前記複数のスペーサが、前記複数の液体不透過性層のうちの少なくとも１つに形成された複数の折目を含み、前記複数の折目が、前記液体不透過性層の少なくとも一部を接合し、前記ドレッシングを折り曲げてマイクロチャネルを形成することによって形成されることを特徴とする減圧を分配するシステム。
【請求項１８】
請求項１３に記載の減圧を分配するシステムであって、前記複数のスペーサが、前記複数の液体不透過性層のうちの少なくとも１つに形成された複数の折目を含み、前記複数の折目が、前記複数の折目のうちの少なくともいくつかをもたらす湾曲面に当該ドレッシングを配置することによって形成されることを特徴とする減圧を分配するシステム。
【請求項１９】
請求項１３に記載の減圧を分配するシステムであって、前記複数のスペーサが、複数の接合箇所に複数の接合部を含み、各接合部が、前記複数の接合箇所のうちの接合箇所において前記複数の液体不透過性層のうちの少なくとも２つを結合し、前記複数の接合箇所が接合箇所の間隔が空けられたパターンを形成することを特徴とする減圧を分配するシステム。
【請求項２０】
請求項１３に記載の減圧を分配するシステムであって、前記複数のスペーサが、半径を有する少なくとも１つの湾曲部を形成するように前記ドレッシングを折り畳むことによって形成された複数の折目を含み、前記湾曲部がマイクロチャネルを形成することを特徴とする減圧を分配するシステム。
【請求項２１】
請求項１３に記載の減圧を分配するシステムであって、前記複数のスペーサが、複数の接合箇所において複数の接合部を含み、各接合部が、前記複数の接合箇所のうちの接合箇所において前記複数の液体不透過性層のうちの少なくとも２つを結合し、前記複数の接合部が、アスペクト比が３を超える接合部を含むことを特徴とする減圧を分配するシステム。
【請求項２２】
請求項１３に記載の減圧を分配するシステムであって、前記複数のスペーサが、複数の接合箇所において複数の接合部を含み、各接合部が、前記複数の接合箇所のうちの接合箇所において前記複数の液体不透過性層のうちの少なくとも２つを結合し、前記複数の接合部が、アスペクト比が６を超える接合部を含むことを特徴とする減圧を分配するシステム。
【請求項２３】
請求項１３〜２２のいずれか一項に記載の減圧を分配するシステムであって、フローチャネルを形成するように第１長手方向接合部と前記第１長手方向接合部から間隔が空けられた第２長手方向接合部とをさらに具備することを特徴とする減圧を分配するシステム。
【請求項２４】
請求項１３〜２２のいずれか一項に記載の減圧を分配するシステムであって、液体送達チャネルをさらに具備し、前記液体送達チャネルが、
窓のない、前記複数の液体不透過性層のうちの１つの第１部分と、
窓のない、前記複数の液体不透過性層のうちの別のものの第２部分と、
周縁を除いて前記第１部分と前記第２部分とを結合して液体送達流路を画定するチャネル形成接合部と、
前記液体不透過性層の前記第１部分に形成された、液体を受け取る液体開口部と、
を備えることを特徴とする減圧を分配するシステム。
【請求項２５】
組織部位に減圧を分配するドレッシングを製造する方法であって、
複数の液体不透過性層を提供するステップであって、前記複数の液体不透過性層に窓が形成されている、ステップと、
前記複数の液体不透過性層を積層するステップと、
隣接する液体不透過性層の間に少なくとも部分的に配置された複数のスペーサを形成するステップと、
を含み、
前記複数のスペーサおよび前記複数の液体不透過性層が、減圧下で流体の流れを可能にする複数の流路を形成し、
前記複数の液体不透過性層の隣接する層が、同一の広がりを有する面の少なくとも階部分の間に発泡体がないように積層されることを特徴とする方法。
【請求項２６】
請求項２５に記載の方法であって、複数のスペーサを形成する前記ステップが、複数の接合箇所において複数の接合部を形成することを含み、各接合部が、前記複数の接合箇所のうちの接合箇所において前記液体不透過性層のうちの少なくとも２つを結合することを特徴とする方法。
【請求項２７】
請求項２５に記載の方法であって、前記複数のスペーサを形成する前記ステップが、前記複数の液体不透過性層に少なくとも１つの拡大部分を設けることを含むことを特徴とする方法。
【請求項２８】
請求項２５に記載の方法であって、複数のスペーサを形成する前記ステップが、前記複数の液体不透過性層のうちの少なくとも１つに複数の折目を形成することを含むことを特徴とする方法。
【請求項２９】
請求項２５に記載の方法であって、複数のスペーサを形成する前記ステップが、前記複数の液体不透過性層のうちの少なくとも１つに複数の折目を形成することを含み、前記複数の折目が、前記液体不透過性層の少なくとも一部を接合し前記ドレッシングを折り曲げてマイクロチャネルを形成することによって形成されることを特徴とする方法。
【請求項３０】
請求項２５に記載の方法であって、複数のスペーサを形成する前記ステップが、前記複数の液体不透過性層のうちの少なくとも１つにおいて複数の折目を形成することを含み、前記複数の折目が、前記複数の折目の少なくともいくつかをもたらす湾曲面上に前記ドレッシングを配置することによって形成されることを特徴とする方法。
【請求項３１】
請求項２５に記載の方法であって、複数のスペーサを形成する前記ステップが、複数の接合箇所において複数の接合部を形成することを含み、各接合部が、前記複数の接合箇所のうちの接合箇所において前記複数の液体不透過性層のうちの少なくとも２つを結合し、前記複数の接合箇所が接合箇所の間隔が空けられたパターンを形成することを特徴とする方法。
【請求項３２】
請求項２５に記載の方法であって、複数のスペーサを形成する前記ステップが、半径ｒを有する少なくとも１つの湾曲部を形成するように前記ドレッシングを折り畳むことにより複数の折目を形成することを含み、前記湾曲部がマイクロチャネルを形成することを特徴とする方法。
【請求項３３】
請求項２５に記載の方法であって、複数のスペーサを形成する前記ステップが、複数の接合箇所において複数の接合部を形成することを含み、各接合部が、前記複数の接合箇所のうちの接合箇所において前記複数の液体不透過性層のうちの少なくとも２つを結合し、前記複数の接合部が、アスペクト比が３を超える接合部を含むことを特徴とする方法。
【請求項３４】
請求項２５に記載の方法であって、複数のスペーサを形成する前記ステップが、複数の接合箇所において複数の接合部を形成することを含み、各接合部が、前記複数の接合箇所のうちの接合箇所において前記複数の液体不透過性層のうちの少なくとも２つを結合し、前記複数の接合部が、アスペクト比が６を超える接合部を含むことを特徴とする方法。
【請求項３５】
請求項２５〜３４のいずれか一項に記載の方法であって、フローチャネルを形成するように、第１長手方向接合部と、前記第１長手方向接合部から間隔が空けられた第２長手方向接合部とをさらに含むことを特徴とする方法。
【請求項３６】
請求項２５〜３４のいずれか一項に記載の方法であって、液体送達チャネルを形成するステップをさらに含み、前記液体送達チャネルが、
窓のない、前記複数の液体不透過性層のうちの１つの第１部分と、
窓のない、前記複数の液体不透過性層のうちの別のものの第２部分と、
周縁を除いて前記第１部分と前記第２部分とを結合して液体送達流路を画定するチャネル形成接合部と、
液体を受け取る液体開口部と、
を備えることを特徴とする方法。